(57)【要約】【課題】            従来、ループを形成し、かつ、ロック状態を解除することができるファスナー部材であって、そのロックのための作業、解除のための作業に格別な指先の力や器用さを必要とせず、その作業が何人も容易にかつ、安全にしかも精度よく正確に行うことができるというものが存在していなかったという点である。【解決手段】        ループ形成材の一端に係止部を備えた挿し込み部を一体的に備え、他端には前記挿し込み部が挿し込まれ、係止部が係合する係合部を備えた受部を備えたファスナー部材において、前記した挿し込み部の係止部は先端部分に形成され、軸芯方向に沿って突設された突片とし、前記受部の係合部は側面部分に形成された窓孔の受口寄りに形成された前記突片の受溝としてあることとする。【選択図】          図１
2014101119.tif 000002
【特許請求の範囲】
【請求項１】
ループ形成材の一端に係止部を備えた挿し込み部を一体的に備え、他端には前記挿し込み部が挿し込まれ、前記係止部が係合される係合部を備えた受部を一体的に備えたファスナー部材において、前記した挿し込み部の係止部は先端部分に形成され、軸芯方向に沿って突設された突片とし、前記受部の係合部は側面部分に形成された窓孔の受口寄りに形成された前記突片の受溝としてあることを特徴とするファスナー部材。
【請求項２】
前記した突片は１８０度ピッチで一対設けられ、前記した受溝も窓孔において１８０度ピッチで一対形成されていることを特徴とする請求項１に記載のファスナー部材。
【請求項３】
前記した一対の突片は挿し込み部の軸芯から位置をずらせて挿し込み部の軸芯に対し点対称位置に形成し、受溝も窓孔において中心点から点対称位置に形成してあることを特徴とする請求項２に記載のファスナー部材。
【請求項４】
前記した突片の側面には突出方向に沿った凹溝が形成されており、受溝の上縁にはその凹溝を受ける突条が形成されていることを特徴とする請求項１から３のうち１項に記載のファスナー部材。
【請求項５】
前記した挿し込み部及び受部は摘んでの操作が行ない易いように偏平部分を形成してあることを特徴とする請求項１から４のうち１項に記載のファスナー部材。
【請求項６】
前記した偏平部分には滑り止めが形成されていることを特徴とする請求項５に記載のファスナー部材。
【請求項７】
前記した挿し込み部及び受部には挿し込み対応位置を示すマークが施されていることを特徴とする請求項１から６のうち１項に記載のファスナー部材。
【請求項８】
前記した挿し込み部を受部の受口に挿し込み９０度、６０度、１２０度をはじめ任意の角度で回転させ、挿し込み部もしくは受部を引くことで、前記した突片と受溝の係合がなされ、ロック状態とされることを特徴とする請求項１から７のうち１項に記載のファスナー部材。
【請求項９】
少なくとも前記した挿し込み部には前記した回転方向を示すマークが施されていることを特徴とする請求項８に記載のファスナー部材。
【発明の詳細な説明】
【技術分野】
【０００１】
本発明はファスナー部材に関し、特に商品に価格、品質等を表示したタグを吊持させ、ロック状態を解除して繰り返し装着使用することを可能としたファスナー部材に関する。
【背景技術】
【０００２】
一般的に、商品にタグを吊持するためのファスナー部材は強靭なループ形成材が用いられ、一旦ロック状態にすると、そのロック状態を解除することができず、商品から取り外すためにはループ形成材を切断する必要があり、この切断によってそのファスナー部材は再使用することはできなくなる。
【０００３】
この点に着目して再使用を可能としたファスナー部材（アタッチ部材）を特許文献１として示す。この特許文献１に示される技術は受部に形成された窓孔の縁に挿し込み部に形成されたバネ片を係合させ、ロックを解除する際にはそのバネ片を押し下げて係合を解く構成となっている。
【０００４】
ここで、例えば使用対象となる商品が衣服、特に婦人服の場合、タグを一旦商品から外し、試着をすることとなるが、ロック解除できないファスナー部材は一旦取り外すことができないため、多くの場合、安全ピンが使用される。この安全ピンは外した状態ではピン先が尖っており、指先を怪我してしまうこともあり、操作も面倒で、ある程度の指先の力が要求されることになってしまう。この指先の力の要求は、前記したバネ片を押す作業が必要となる特許文献１に記載の技術にも共通する。
【先行技術文献】
【特許文献】
【０００５】
【特許文献１】特開２００９−１４３６１９号公報
【発明の概要】
【発明が解決しようとする課題】
【０００６】
本発明が解決しようとする問題点は、従来、ループを形成し、かつ、ロック状態を解除することができるファスナー部材であって、そのロックのための作業、解除のための作業に格別な指先の力や器用さを必要とせず、その作業が何人も容易にかつ、安全にしかも精度よく正確に行うことができるというものが存在していなかったという点である。
【課題を解決するための手段】
【０００７】
上記した問題点を解決するために、本発明に係るファスナー部材はループ形成材の一端に係止部を備えた挿し込み部を一体的に備え、他端には前記挿し込み部が挿し込まれ、係止部が係合する係合部を備えた受部を備えたファスナー部材において、前記した挿し込み部の係止部は先端部分に形成され、軸芯方向に沿って突設された突片とし、前記受部の係合部は側面部分に形成された窓孔の受口寄りに形成された前記突片の受溝としてあることを特徴としている。
【０００８】
また、本発明に係るファスナー部材は前記した突片は１８０度ピッチで一対設けられ、前記した受溝も窓孔において１８０度ピッチで一対形成されていることを特徴とし、前記した一対の突片は挿し込み部の軸芯から位置をずらせて挿し込み部の軸芯に対し点対称位置に形成し、受溝も窓孔において中心点から点対称位置に形成してあることを特徴とし、前記した突片の側面には突出方向に沿った凹溝が形成されており、受溝の上縁にはその凹溝を受ける突条が形成されていることを特徴としている。
【０００９】
さらに、本発明に係るファスナー部材は前記した挿し込み部及び受部は摘んでの操作が行ない易いように偏平部分を形成してあることを特徴とし、前記した偏平部分には滑り止めが形成されていることを特徴とし、前記した挿し込み部及び受部には挿し込み対応位置を示すマークが施されていることを特徴とし、前記した挿し込み部を受部の受口に挿し込み９０度、６０度、１２０度をはじめ任意の角度で回転させ、挿し込み部もしくは受部を引くことで、前記した突片と受溝の係合がなされ、ロック状態とされることを特徴とし、少なくとも前記した挿し込み部には前記した回転方向を示すマークが施されていることを特徴としている。
【発明の効果】
【００１０】
本発明に係るファスナー部材は上記のように構成されている。そのため、本発明に係るファスナー部材は何人が取り扱っても容易に安全に使用でき、精度よく正確なロックとその解除をスムーズに行うことができ、その使用用途も多岐に亘るものとなっている。
【図面の簡単な説明】
【００１１】
【図１】ロック状態を示す要部の斜視図である。
【図２】正面図である。
【図３】側面図である。
【図４】挿し込み部の斜視図である。
【図５】正面図である。
【図６】側面図である。
【図７】受部の斜視図である。
【図８】正面図である。
【図９】側面図である。
【図１０】図８中のＡ−Ａ線断面図である。
【図１１】他の実施例を示すロック状態の図である。
【発明を実施するための形態】
【００１２】
図面として示し、実施例で説明したように構成したことで実現した。
【実施例１】
【００１３】
次に、本発明の好ましい実施の一例を図面を参照して説明する。図にあって１はループ成形材を示しており、このループ成形材１としては糸を撚った紐、延伸加工されたプラスチックやナイロン、その他伸縮性を有するエラストマー等適宜に採択することができる。
【００１４】
前記したループ成形材１の一端にはプラスチック製の挿し込み部２が一体的に備えられている。この挿し込み部２とループ成形材１の一体化は通常インサート成形によって実行される。これは後述するループ成形材１と受部との一体化についても同様である。
【００１５】
この挿し込み部２は使用する際に指先で摘み持つ摘み部２ａを有しており、この摘み部２ａは摘み易いよう偏平形成されているもので、その偏平部分に挟み込まれた部分の挿し込み方向前部には挿し込み位置、即ち、後述する受部との合致位置を示すマーク２ｂが備えられ、摘み部２ａの挿し込み方向前部には後述する回転方向を示すマーク２ｃが備えられている。
【００１６】
また、前記した摘み部２ａの先端には受部の受口内へ嵌入される嵌入部３が一体に成形されている。この嵌入部３は略円柱形をしているもので、その先端寄り外面には、相互に１８０度ピッチで外方に突出する係止用の突片３ａ、３ａを突設しており、この突片３ａ、３ａの突設方向は前記したマーク２ｂが示す軸芯方向と直交している。さらに、この突片３ａ、３ａの外面にはその突片３ａ、３ａの突設方向と沿う凹溝３ｂ、３ｂが形成されている。
【００１７】
前記したループ成形材１の他端には、前記した挿し込み部２、特に嵌入部３を受け入れる受部４が一体的に備えられている。この受部４も指先で摘み持ち易いように偏平形成されており、その偏平部分には滑り止め４ａ、４ａ‥が設けられているもので、その偏平部分に挟まれた部分の前部には、挿し込み部２の摘み部２ａに備えられたマーク２ｂと合わせて方向性を示すマーク４ｂが備えられている。
【００１８】
この受部４は先端に、挿し込み部２の嵌入部３が嵌入される受口５が開口されており、この受口５の開口縁からその内壁面に沿って突片３ａ、３ａが沿うガイド溝５ａ、５ａが形成されている。また、受部４の両側面には、前記受口５と連通する窓孔６、６が設けられているもので、この窓孔６、６の受口５側には、前記した突片３ａ、３ａの受溝６ａ、６ａが形成されている。
【００１９】
また、前記した受溝６ａ、６ａの上縁の一方は、内側に向けて突出された突条６ｂ、６ｂとなっており、この突条６ｂ、６ｂが突片３ａ、３ａの凹溝３ｂ、３ｂと噛み合って密なロック状態とする。
【００２０】
本実施例に係るファスナー部材は上記のように構成されている。ここで、このファスナー部材の使用方法を説明すると、受部４のマーク４ｂと挿し込み部２のマーク２ｂの位置を合わせ、嵌入部３を受口５内に嵌入する。この際、突片３ａ、３ａはガイド溝５ａ、５ａに沿って嵌入する。嵌入部３を受口５の奥端まで嵌入した後に、マーク２ｃによって挿し込み部２を９０度回転させる。この回転時に突片３ａ、３ａはガイド溝５ａから外れている。また、前記した嵌入は、ループ成形材１の軸芯方向に対し、挿し込み部２と受部４が９０度捻った状態で行うようにすることもでき、その場合、該対応位置にマーク２ｂとマーク４ｂが備えられることになる。この角度は９０度のほか、任意に設定することができる。これは嵌入後の回転である９０度も同様に任意の角度とできる。
【００２１】
この９０度の回転後、挿し込み部２を引くことによって、突片３ａ、３ａは受溝６ａ、６ａと係合し、ロック状態となり、このロック状態は凹溝３ｂ、３ｂが突条６ｂ、６ｂと噛むことでより密に強固なものとなり、同時にロック作用をクリック感で確認できる。このロック状態は窓孔６、６から目視確認することができる。
【００２２】
このロック状態の解除は手順を逆とすること、即ち、挿し込み部２を挿し込み、受溝６ａから突片３ａを外し、元の方向へ９０度回転させ、挿し込み部２を引き抜くことでなされる。
【００２３】
また、図１１として示すのは本願発明の別の実施例であり、この場合は、ループ成形材１の一端が受部４の側面と連結された構成となっており、挿し込み部２の挿し込み方向は、受部４と連結されたループ成形材１の基端と直交方向とされるものである。
【００２４】
本実施例に係るファスナー部材は上記のように構成され、使用されるものであり、軽量感も有しているもので、使用用途も多岐となり、例えば縫い包み玩具の値札を付けるボールチェーン等の代替としても使用することもできる。
【産業上の利用可能性】
【００２５】
本発明に係るファスナー部材は、実施例として示した形態のほか、挿し込み部２や受部４の外観形状は必要に応じて変更することは勿論可能である。また、突片ａと受溝６ａは、本実施例では１８０度ピッチで一対形成してあるが、最低限１つづつ存在していれば実効性を得ることができる。
【符号の説明】
【００２６】
１    ループ成形材
２    挿し込み部
２ａ  摘み部
２ｂ  マーク
２ｃ  マーク
３    嵌入部
３ａ  突片
３ｂ  凹溝
４    受部
４ａ  滑り止め
４ｂ  マーク
５    受口
５ａ  ガイド溝
６    窓孔
６ａ  受溝
６ｂ  突条
【図１】
2014101119.tif 000003
【図２】
2014101119.tif 000004
【図３】
2014101119.tif 000005
【図４】
2014101119.tif 000006
【図５】
2014101119.tif 000007
【図６】
2014101119.tif 000008
【図７】
2014101119.tif 000009
【図８】
2014101119.tif 000010
【図９】
2014101119.tif 000011
【図１０】
2014101119.tif 000012
【図１１】
2014101119.tif 000013